(57)【特許請求の範囲】
【請求項１】
筐体（１）内に設置する熱交換器（２）に設けた外部空気の吸気口（２ａ）と排気口（２ｂ）を筐体（１）の側板部（１１）の上下に透設した換気窓孔（１１ａ）、（１１ｂ）に臨ませ、また、該筐体（１）の側板部（１１）の外面に前記換気窓孔（１１ａ）、（１１ｂ）に合致する窓孔部（３ａ）、（３ｂ）を上下に設けるとともに外部フード（３１ａ）、（３１ｂ）を取り付けたカバー状の取付部材（３）を添装し、該取付部材（３）と前記熱交換器（２）により筐体（１）の側板部（１１）を挟み込むようにし該側板部（１１）に透設したボルト挿通孔（１２）にボルト（１３）を挿通したうえナット（１４）を螺合して前記熱交換器（２）とカバー状の取付部材（３）を筐体（１）に取り付けたことを特徴とする屋外用電気機器収納箱。
【請求項２】
外部フード（３１ａ）、（３１ｂ）を着脱自在とした請求項１に記載の屋外用電気機器収納箱。
【発明の詳細な説明】
【０００１】
【発明の属する技術分野】
本発明は熱交換器を取り付けた配電盤等の屋外用電気機器収納箱に関するものである。
【０００２】
【従来の技術】
従来、内部に熱交換器を取り付けた屋外用電気電子機器箱は、熱交換器を筐体内に筐体側板部に植設したスタッドボルトにより取り付け、吸気口及び排気口が臨む筐体の換気用窓孔の外部に雨水浸入防止用のフードを直接筐体側板部に取り付けるものであった。
【０００３】
ところが、これは予め筐体側板部にスタッドボルトを植設しておく必要がある。また、フードを直接筐体側板部に取り付けることから、ネジ止めして取り付ける場合、図８に示すように盤用熱交換器１０１にネジが当たらないようにするためフード１０２の幅寸法を盤用熱交換器１０１の幅より広くとり、フード１０２の両側のみをもってネジ止めするものであった。そのため、フードが必要以上に大型となるばかりでなく、図９に示すようにフード１０２と筐体側板部１０３との間に雨水浸入防止用のパッキン１０４を介在させた場合にフード１０２の上辺部１０２ａと筐体側板部１０３との間のパッキン１０４の取り付けが弱く防水性が劣るという問題あった。また、フード１０２を溶接の手段で取り付けた場合に前記のような問題はないが、筐体外から吸気口及び排気口のフィルターやファンの点検、交換、補修ができないものであった。
【０００４】
【発明が解決しようとする課題】
本発明が解決しようとするところは、前記のような問題点を解決して、熱交換器の取り付が容易なことは勿論のこと、フードの取り付けが容易な、屋外用電気機器収納箱を提供することにある。
【０００５】
【課題を解決するための手段】
前記のような課題を解決するためになされた本発明の屋外用電気機器収納箱は、筐体内に設置する熱交換器に設けた外部空気の吸気口と排気口を筐体の側板部の上下に透設した換気窓孔に臨ませ、また、該筐体の側板部の外面に前記換気窓孔に合致する窓孔部を上下に設けるとともに外部フードを取り付けたカバー状の取付部材を添装し、該取付部材と前記熱交換器により筐体の側板部を挟み込むようにし該側板部に透設したボルト挿通孔にボルトを挿通したうえナットを螺合して前記熱交換器とカバー状の取付部材を筐体に取り付けたことを特徴とするものである。そして、外部フードを着脱自在とすることが好ましい。
【０００６】
【発明の実施の形態】
次に、本発明の実施の形態を図に基づき説明する。
１は屋外用電気機器収納箱の筐体、２は該筐体１内に設置する熱交換器であり、該熱交換器１は外部空気の吸気口２ａと排気口２ｂを前記筐体１の側板部１１に透設した換気窓孔１１ａ、１１ｂに該筐体１内部から臨ませている。
【０００７】
３は前記筐体１の側板部１１の外面に添装するカバー状の取付部材であり、該取付部材３の上下には前記上下の換気窓孔１１ａ、１１ｂに合致する外部フード３１ａ、３１ｂ付きの窓孔部３ａ、３ｂを上下に設けてある。そして、該取付部材３と前記熱交換器２により筐体１の側板部１１を挟み込んだうえ該側板部１１に透設したボルト挿通孔１２にボルト１３を挿通したうえナット１４を螺合して前記熱交換器２と外部フード３１ａ、３１ｂ付きの取付部材３を取り付けてある。
【０００８】
また、前記ボルト１３は図３に示すように取付部材３の背面の周縁に溶接して植設しておけば、該ボルト１３をボルト挿通孔１２に挿通することにより、取付部材３は筐体１の側板部１１に仮保持されるので、該ボルト１３に熱交換器２の背面周縁に張設した鍔板部２４に設けた切欠状又は孔状のボルト挿通部２４ａを合致させて熱交換器２を仮保持させ、ボルト１３にナット１４を螺合すれば、図２に示すように取付部材３と熱交換器２により筐体１の側板部１１を挟み込んだ状態で該取付部材３と熱交換器２が取り付けられることができる。
【０００９】
また、取付部材３に設けた前記換気窓孔１１ａ、１１ｂに合致する窓孔部３ａ、３ｂに取り付けた外部フード３１ａ、３１ｂは着脱自在とすることが筐体１外から吸気口２ａ及び排気口２ｂのフィルターやファンの点検、交換、補修ができ好ましい。この着脱自在とする手段としては、図４に示すネジ止め式、図５に示すスライド式及び図６に示す蝶番による開閉式がある。
【００１０】
さらに、取付部材３は図３（Ａ）に示すように、周縁及び窓孔部３ａ、３ｂの周縁にはパッキン材３２が貼付されており、筐体１の側板部１１をつたって来る雨水を防止するものとしている。また、図７に示すように、熱交換器２の吸気口２ａを覆う外部フード３１ａの下端開口に臨ませるフィルター４を取り付けるためのフィルタールケース４１を取付部材３に溶接、ネジ止め等の手段で取り付け、外部フード３１ａを溝部５１を設けたスライドレールに上部からスライドさせて着脱できるものとしておけばフィルター４の交換も容易なものとなる。
【００１１】
このように構成されたものは、熱交換器２が、カバー状の取付部材３とにより筐体１の側板部１１を挟み込んで該側板部１１に透設したボルト挿通孔１２にボルト１３を挿通したうえナット１４を螺合して筐体１に取り付けたものであるから、その取り付け作業が容易でなものである。そして、本発明にあっては、熱交換器２に設けた外部空気の吸気口２ａと排気口２ｂが臨む筐体１の側板部１１に上下に透設した換気窓孔１１ａ、１１ｂに合致する窓孔部３ａ、３ｂを上下に設けた取付部材３に外部フード３１ａ、３１ｂが取り付けられているので、雨水はこの外部フード３１ａ、３１ｂにより熱交換器２の吸気口２ａと排気口２ｂから熱交換内部に浸入するのを防止するものである。
【００１２】
また、前記したように外部フード３１ａ、３１ｂがカバー状の取付部材３に取り付けられているので、ネジ等の取付部材が側板部１１を通して熱交換器２に到達する虞がないので、ネジ止め個所が限定されなので吸気口２ａ、排気口２ｂの大きさに最適な外部フード３１ａ、３１ｂを取り付けできるものである。また、取付部材３の背面周縁に補強用の周枠部３３を設けたものにあっては、この周枠部３３の深さ分ネジやナットが入る空間が確保できより好ましいものである。さらに、外部フード３１ａ、３１ｂが取付部材３に着脱自在に取り付けすれば筐体１から吸気口２ａ及び排気口２ｂのフィルターやファンの点検、交換、補修ができるものである。なお、この実施形態ではボルト１３が取付部材３に植設したものを説明したが、熱交換器２に植設したり、取付部材３と熱交換器２にボルト挿通孔１２を設けておき、別体のボルト１３を用いるようにしてもよい。
【００１３】
【発明の効果】
本発明は以上の説明からも明らかなように、熱交換器が、取付部材とにより筐体の側板部を挟み込んで該側板部に透設したボルト挿通孔にボルトを挿通したうえナットを螺合して筐体に取り付けたものであるから、その取り付け作業が容易でなものであり、また、外部フードを筐体に直接取り付けせずに取付部材に取り付けたので吸気口、排気口の大きさに最適な外部フードを取り付けできるものである。
従って、本発明は従来の屋外用電気機器収納箱の問題点を解決したものであり、極めて産業に寄与するところ大なものである。
【図面の簡単な説明】
【図１】実施の形態を示す分解して示す斜視図である。
【図２】実施の形態の要部を示す断面図である
【図３】実施の形態に使用する取付部材を示す図であり、（Ａ）は背面図、（Ｂ）は側面図である。
【図４】外部フードの取付方法の一手段を示す斜視図である。
【図５】外部フードの取付方法の他の一手段を示す斜視図である。
【図６】外部フードの取付方法の他の一手段を示す斜視図である。
【図７】実施の形態に使用する他の取付部材を示す一部切欠斜視図である。
【図８】従来例を示す斜視図である。
【図９】従来例の要部を示す斜視図である。
【符号の説明】
１  筐体、２  熱交換器、２ａ  吸気口、２ｂ  排気口、３  取付部材、３ａ  窓孔部、３ｂ  窓孔部、１１  側板部、１１ａ  換気窓孔、１１ｂ  換気窓孔、１２  ボルト挿通孔、１３  ボルト、１４  ナット，３１ａ  外部フード、３１ｂ  外部フード
【図１】
0004017138.tif 000002
【図２】
0004017138.tif 000003
【図３】
0004017138.tif 000004
【図４】
0004017138.tif 000005
【図５】
0004017138.tif 000006
【図６】
0004017138.tif 000007
【図７】
0004017138.tif 000008
【図８】
0004017138.tif 000009
【図９】
0004017138.tif 000010